(57)【特許請求の範囲】
【請求項１】
銃のサイト装置において、フロントサイトは板状の右目用フロントサイトと、板状の左目用フロントサイトとで構成され、右目用フロントサイト及び左目用フロントサイトは、上面視で前方に向かって拡幅するハの字状に配置され、左目の視線軸が右目用フロントサイトの板平面と一致し、右目の視線軸が左目用フロントサイトの板平面と一致するフロントサイトを同時に使用して照準するオ-プンサイト装置において、  左右のフロントサイト上端部を結合し、後面視で、屈曲させた左右のフロントサイトの板側面を、菱形に構成するサイト装置。
【請求項２】
右目用フロントサイトと左目用フロントサイトの取り付け角度を微調整できるように、上端部と下端部を組み付け構成した請求項１のサイト装置。
【発明の詳細な説明】
【技術分野】
【０００１】
本発明は、射撃時の反動が無いトイエアガンか、又は反動が少ない実銃に装着されて使用される照準装置に関するものである。より詳細には両眼視で照準するオープンサイト装置に関する。
【背景技術】
【０００２】
接近戦のサバイバルゲームでは、使用されるトイエアガンでの、先に相手を索敵発見できる広い視野と、その後迅速に照準射撃ができるかどうかの性能で、勝負が決まる。  一般にガンの照準はフロントサイトとリアサイトの照準線一致によってなされるオープンサイトか、外部取り付け方式のドットサイト、スコープなどがある。（図１１参照）
【０００３】
しかし、フロントサイトとリアサイトを使用するオープンサイトの射撃方式では、目標捕捉後一旦移動を停止し、それから半身に構えて片目で目標を目視しながら、視線とフロントサイトからリアサイトまでの照準線が一致する様に銃を移動し射撃する。この方式の操作時間は銃を扱う使用者の熟練度により大きく左右される。その上射撃中は片目の為視界が狭くなり周りの警戒量が落ちる。このため、サバイバルゲームなどの、多数の敵を同時に相手にする接近戦では、見落とした新たな敵に撃たれてしまう事が多い。またドットサイト、スコープなどでは、射撃中の視界がより狭くなり、より高度な射撃技術を必要とする。
【０００４】
その上、市販されているトイエアガンのＢＢ弾の発射速度は銃刀法で規制されているので遅く、６ｍｍＢＢ弾０，２５ｇで初速８８，９ｍ／ｓ以下である。そのため外で行われるサバイバルゲームでは風の影響を強く受ける。市販されているトイエアガンｐ−９０をサンプルにして、射撃時の銃口での初速を実測してみると７７ｍ／ｓ前後であり、銃口から３０ｍの地点では３４ｍ／ｓ前後であった。平均てき横風３ｍ／ｓの場合３０ｍ先で標的から１，６２ｍ横に外れる。片眼視では受ける光量は少ないのでＢＢ弾の弾道を追うことはできないが、両眼視ではＢＢ弾の弾道を直視でき、横方向えのズレを確認しながら銃芯の向きを変え標的に当てることができる。片目、ドットサイト又はスコープでは光量が少なく飛んでいくＢＢ弾を目で追う事は難しい。
【先行技術文献】
【特許文献】
【０００５】
【特許文献１】特願２０１９−１４５１００
【発明の概要】
【発明が解決しようとする課題】
【０００６】
解決しようとする問題点は、ダブルサイトで照準性能を上げる為にフロントサイトの構成部材の板厚を薄くすると、強度がさがるうえに、上端が鋭利になり、安全性が悪い点である。
【課題を解決するための手段】
【０００７】
本発明は、上記の目的を達成するために、銃のサイト装置において、フロントサイトは板状の右目用フロントサイトと、板状の左目用フロントサイトとで構成され、右目用フロントサイト及び左目用フロントサイトは、上面視で前方に向かって拡幅するハの字状に配置され、左目の視線軸が右目用フロントサイトの板平面と一致し、右目の視線軸が左目用フロントサイトの板平面と一致するフロントサイトを同時に使用して照準するオ-プンサイト装置において、左右のフロントサイト上端部を結合し銃身からの後面視で左右のフロントサイトの板側面を菱形に構成するサイト装置。
【０００８】
さらに右目用フロントサイトと左目用フロントサイトの取り付け角度を微調整できるように上端部と下端部を組み付け構成したサイト装置。                                                              
【発明の効果】
【０００９】
本発明によればトイエアガンなどの射撃時反動の無い銃か、又は反動の少ない実銃に、上端部が結合され、鋭利な面が上面方向に出ないので安全で見やすい両眼視で照準ができる、オープンサイト装着を提供できる長所がある。                                                                                                                                                  
【００１０】
サバイバルゲーム中サイトの構成部品が少なく前面の構造物が少ないので広く索敵できる。また発見後一瞬で照準し射撃できる。その上、照準時飛んでいくＢＢ弾を目で追う事ができ、風による影響での目標物に対するずれを簡単に補正できる。さらに銃を身体の真正面に保持できるので両目を開いて走り回りながら照準射撃できる。
【図面の簡単な説明】
【００１１】
【図１】図１は基本となるダブルサイトの斜視図である。
【図２】図２は基本となるダブルサイトの平面図で作用を説明した解説図である。
【図３】図３は基本となるダブルサイトの両眼視で視認出来るフロントサイトと目標物を表した説明図である。
【図４】図４は実施例の上端部を結合したダブルサイトの斜視図である。
【図５】図５は実施例の上端部を結合したダブルサイトの三面図である。（実施例）
【図６】図６は実施例の上端部を結合したダブルサイトの結合部の平面を表した図で作用を説明した解説図である。（実施例）
【図７】図７は実施例で右目を閉じた状態で視認出来るフロントサイトと目標物を表した説明図である。（実施例）
【図８】図８は実施例で左目を閉じた状態で視認出来るフロントサイトと目標物を表した説明図である。（実施例）
【図９】図９は実施例の両眼視で視認出来るフロントサイトと目標物を表した説明図である。（実施例）
【図１０】図１０は基本となるダブルサイトの作用を表した斜視図である。
【図１１】図１１は実銃でのオープンサイトの使用例を示した図である。
【発明を実施するための形態】
【実施例】
【００１２】
図１は基本となるダブルサイトの斜視図で、図１０は、基本となるダブルサイトの作用を説明した斜視図であって、ａはトイエアガンｐ−９０、ｃは右目用フロントサイト、ｂは左目用フロントサイト、ｆは右眼からの照準線、ｇは左眼からの照準線、Lは左フロントサイト平面に一致する右眼球視線軸である、kは右目用フロントサイト平面に一致する左眼球視線軸である。
【００１３】
図２は、基本となるダブルサイトの作用を説明した平面図であって、ａはトイエアガンｐ−９０、ｃは右目用フロントサイト、ｂは左目用フロントサイト、ｆは右眼からの照準線、ｇは左眼からの照準線、Lは左フロントサイト平面に一致する右眼球視線軸である、kは右目用フロントサイト平面に一致する左眼球視線軸である。ｃは右目用フロントサイト、ｂは左目用フロントサイト、板状の右目用フロントサイトと、板状の左目用フロントサイトとで構成され、右目用フロントサイト及び左目用フロントサイトは、上面視で前方に向かって拡幅するハの字状に配置され、左目の視線軸が右目用フロントサイトの板平面と一致し、右目の視線軸が左目用フロントサイトの板平面と一致する。
【００１４】
図３は、基本となるダブルサイトで、照準時両眼視で見える合成された照準像である。右目で見たｃ右目用フロントサイトは板面を斜めに見るので幅が広く目標物ｉの中心に投影し、左目で見たb左目用フロントサイトは板面を斜めに見るので目標物ｉの中心に幅が広く投影し、右目用フロントサイト左目用フロントサイトは幅広く重なって見える。
【００１５】
右目で見たb左目用フロントサイトは板側面を見るので幅が狭く目標物ｉの左外側に投影し、左目で見たc右目用フロントサイトは板側面を見るので幅が狭く目標物ｉの右外側に投影し、右目用フロントサイト左目用フロントサイトは狭く見えにくい。
【００１６】
図４は、本発明ダブルサイト装置の実施例の斜視図あってｃは右目用フロントサイト、ｂは左目用フロントサイト、mは取付けレール、nは取付けベースである。
【００１７】
図５は実施例の上端部を結合したダブルサイトの三面図で、左右のフロントサイトを、くの字状の板で構成して左右のフロントサイト上端部を結合し銃身からの後面視で左右のフロントサイトの板側面を菱形に構成する。断面図  あ  は、正面図ア〜アの矢視である。断面図  い  は正面図イ〜イの矢視である。断面図  う  は正面図ウ〜ウの矢視である。正面図エ〜エの矢視は、断面図  い  と同じである。正面図オ〜オの矢視は、断面図  あ  と同じである。
【００１８】
く  の字状の板で構成したて左右のフロントサイトは、あ、い、う、の断面図でわかるようにねじれ角度が場所により変化しており、ウ〜ウの矢視部で大きく実施例では7.5°であり、ア〜ア、オ〜オの矢視部では少なく３.７°である。また、左右のフロントサイトはねじれ方向が逆で、左右対称である。                                  
【００１９】
左右のフロントサイトは、取り付け角度を微調整できるように上端部と下端部をビスとナットで組み付け構成し、左目用フロントサイト平面に右眼球視線軸が一致しやすく、また、右目用フロントサイト平面に左眼球視線軸が一致しやすく調整できる。そして、上端部を結合しているので、図１０基本となるダブルサイトより薄い板で製作できる。また、上端部が結合され、鋭利な面が上面方向に出ないので安全である。
【００２０】
断面図  う  の、ハの字に見える断面の作用は図２の、基本となるダブルサイトの作用を説明した平面図の作用とまったく同じであって、ａはトイエアガンｐ−９０、ｃは右目用フロントサイト、ｂは左目用フロントサイト、ｆは右眼照準線、ｇは左眼照準線、Lは左目用フロントサイト平面に一致する右眼球視線軸である、kは右目用フロントサイト平面に一致する左眼球視線軸である。板状の右目用フロントサイトと、板状の左目用フロントサイトとで構成され、右目用フロントサイトｃ及び左目用フロントサイトｂは、上面視で前方に向かって拡幅するハの字状に配置され、左目の視線軸が右目用フロントサイトの板平面と一致し、右目の視線軸が左目用フロントサイトの板平面と一致する。
【００２１】
図６は、断面図  あ  の、ハの字に見える断面の作用を説明した平面図であり、ａはトイエアガンｐ−９０、ｃは右目用フロントサイト、ｂは左目用フロントサイト、ｆは右眼照準線、ｇは左眼照準線、Lは左目用フロントサイト平面に一致する右眼球視線軸である、kは右目用フロントサイト平面に一致する左眼球視線軸である。板状の右目用フロントサイトｃと、板状の左目用フロントサイトｂとで構成され、右目用フロントサイト及び左目用フロントサイトは、上面視で前方に向かって拡幅するハの字状に配置され、左目の視線軸が右目用フロントサイトの板平面と一致し、右目の視線軸が左目用フロントサイトの板平面と一致する。  右目で見たｃ右目用フロントサイトは板面を斜めに見るので幅が広く目標物ｉの左側に投影し、左目で見たb左目用フロントサイトは板面を斜めに見るので目標物ｉの右側に幅が広く投影し、  右目で見たb左目用フロントサイトは板側面を見るので幅が狭く目標物ｉの左側に大きく外れて投影し、左目で見たｃ右目用フロントサイトは板側面を見るので幅が狭く目標物ｉの右外側に大きく外れて投影し、大きく外れて投影された右目用フロントサイト左目用フロントサイトは幅が狭く見えにくい。
【００２２】
図７は実施例で照準時右目を閉じた場合見える照準像である。ｂは左目用フロントサイトで幅が広くハッキリ見え、く  の字の屈曲部が目標物ｉの中心を捉えている。ｃは右目用フロントサイトで幅が狭く薄くぼんやり見える。z  は銃身を左上から見たものである。  
【００２３】
図８実施例で照準時左目を閉じた場合見える照準像である。  ｃは右目用フロントサイトで幅が広くハッキリ見え、く  の字の屈曲部が目標物ｉの中心を捉えている。  ｂは左目用フロントサイトで薄くぼんやり見える。v  は銃身を右上から見たものである。  
【００２４】
図９は実施例で、照準時両目視で見える合成された照準像である。(実施例)
右目用フロントサイトｃと左目用フロントサイトｂはX型に幅が広くハッキリ見え、目標物  ｉ  の中心を捉えている。z  は銃身を左上から見たものである。v  は銃身を右上から見たものである。
【産業上の利用可能性】
【００２５】
サバイバルゲーム中、サイトの構成部品が少なく前面の構造物が少ないので広く索敵できる。また敵を発見後一瞬で照準し射撃できる。その上、照準時目標物に飛んでいくＢＢ弾を目で追う事ができ、風などによる影響での目標物に対するズレを簡単に補正できる。さらに銃を身体の真正面に保持できるうえに、サイトが大きいので、走り回りながら照準し、射撃できる。
【符号の説明】
【００２６】
ａ    Ｐ−９０トイエアガン
ｂ    左目用フロントサイト
ｃ    右目用フロントサイト
ｄ    左眼球
ｅ    右眼球
ｆ    右目からの照準線
ｇ    左目からの照準線
ｈ    従来のフロントサイト
i    目標物
j    従来のリアサイト
k  左目からの右目用フロントサイトへの視線軸  
L  右目からの左目用フロントサイトへの視線軸  
m    レール
n    べ−ス
o    ビス、ナット
v    右目から見た銃身
z    左目から見た銃身
ア    切断矢視  上
イ    切断矢視  上中
ウ    切断矢視  中
エ    切断矢視  下中
オ      切断矢視  下
あ    ア〜アへの断面
い    イ〜イへの断面
う    ウ〜ウへの断面
【要約】      （修正有）【課題】安全で見やすい両眼視で照準ができる、オープンサイトのサイト装置を提供する。【解決手段】左右のフロントサイトｂ，ｃ上端部を結合し銃身からの後面視で左右のフロントサイトの板側面を菱形に構成する。さらに右目用フロントサイトと左目用フロントサイトの取り付け角度を微調整できるように上端部と下端部をビスとナットで組み付け構成する。【選択図】図５【図１】
0006745007.tif 000002
【図２】
0006745007.tif 000003
【図３】
0006745007.tif 000004
【図４】
0006745007.tif 000005
【図５】
0006745007.tif 000006
【図６】
0006745007.tif 000007
【図７】
0006745007.tif 000008
【図８】
0006745007.tif 000009
【図９】
0006745007.tif 000010
【図１０】
0006745007.tif 000011
【図１１】
0006745007.tif 000012